(57)【要約】    【課題】可動する移動部材によってロール紙を挟み込んで支持する機構においても、ロール紙を載置するスペース上に、ロール紙を巻き戻すための伝達経路を構成することができることを課題とする。    【解決手段】  少なくとも一方が移動可能な一対の移動部材（１００、１００’）と、移動部材（１００、１００’）に設けられ、ロール紙Ｐの芯管の開口部に装着してロール紙を支持する支持部材（２００、２００’）と、引き出されたロール紙Ｐを巻き戻す巻戻手段４００とを有し、巻戻手段４００は、巻戻手段４００を作動させる駆動部と、ロール紙Ｐの軸線方向に延びた駆動軸を備えた動力伝達系５００とを有し、駆動軸５３０は、駆動部５３０の駆動力を支持部材（１００、１００’）に伝達させるとともに、移動部材（１００、１００’）の移動方向をロール紙Ｐの軸線方向にガイドすることを特徴とする。    【選択図】図３
2005280281.tif 000002
【特許請求の範囲】
【請求項１】
少なくとも一方が移動可能な一対の移動部材と、前記移動部材に設けられ、ロール紙の芯管の開口部に装着してロール紙を支持する支持部材と、引き出された前記ロール紙を巻き戻す巻戻手段とを有し、
前記巻戻手段は、前記巻戻手段を作動させる駆動部と、前記ロール紙の軸線方向に延びた駆動軸を備えた動力伝達系とを有し、
前記駆動軸は、前記駆動部の駆動力を前記支持部材に伝達させるとともに、前記移動部材の移動方向を前記ロール紙の軸線方向にガイドすることを特徴とする給紙装置。
【請求項２】
前記動力伝達系は、前記駆動部の駆動力を一方向に伝達するクラッチ手段を備えた第一歯車群と、一方の前記移動部材内に設けられ、前記支持手段を軸支する回転軸に連結された第二歯車群と有し、
前記第一歯車群に組み込まれた任意の歯車と前記第二歯車群に組み込まれた任意の歯車は、前記駆動軸上に配置されていることを特徴とする請求項1記載の給紙装置。
【発明の詳細な説明】
【技術分野】
【０００１】
本発明は、複写機、プリンタ等の画像形成装置に用いるロール紙の給紙装置に関するものであり、特には、画像形成装置側に引き出されたロール紙をロール紙側に巻き戻す給紙装置に関するものである。
【背景技術】
【０００２】
画像形成装置側に引き出されたロール紙を巻き戻す給紙装置として、特許文献１のように構成したものがある。この給紙装置は、図１および図２に示すように、ロール紙１をホルダー２に装着して、ホルダー２の支軸３を側板４の凹部５内に回転可能に支持するものである。
【０００３】
ロール紙１の引き出し（画像形成装置側への搬送）は、駆動ローラ１１を矢印（実線）方向に回転させる。この時、駆動ローラ１１の回転が、ホルダー２の一方の端部に固定された歯車６に伝達しないように、駆動ローラ１１と同軸上に配置された一方向クラッチ１４をフリーにする。これにより、給紙ローラ１１のみが回転する。
【０００４】
さらに、ロール紙１の巻戻しは、駆動ローラ１１を矢印（破線）方向に回転させる。この時、一方向クラッチ１４はロックしているため、給紙ローラ１１の回転力は、歯車１５、１６に伝達される。歯車１６の回転は、ベルト１８を介して、歯車２０、２１に伝達される。歯車２６は、歯車２３およびホルダー２の一方の端部に固定された歯車６に噛み合っている。これにより、歯車２６の回転は歯車６に伝達され、ホルダー２が矢印（破線）方向に回転して、ロール紙が巻戻される。
【特許文献１】実用新案登録番号２５７００５９号公報
【発明の開示】
【発明が解決しようとする課題】
【０００５】
この特許文献１に明確に開示されていないが、ロール紙１の着脱は、一度、ホルダー２が装着されたロール紙１を給紙装置から取り出し、さらに、ホルダー２をロール紙から抜き差して行うものである。このため、ロール紙をセットする作業スペースは、ホルダー２の幅分とセットするロール紙の幅分の作業スペースが必要となる。
【０００６】
また、ホルダー２が装着されたロール紙１は、持ち上げるには少し重たく、給紙装置にこのロール紙１をセットする時には、いくぶん重労働となりやすい。このため、予め、給紙装置内にロール紙を載置して、可動式のガイドによってロール紙を挟み込んで支持する機構が想定される。しかし、ガイドの位置は、ロール紙の幅に対応して変化するため、ロール紙を巻き戻すための伝達経路を構成することは難しい。
【課題を解決するための手段】
【０００７】
上記問題を解決するために、本発明は、請求項１においては、少なくとも一方が移動可能な一対の移動部材と、移動部材に設けられ、ロール紙の芯管の開口部に装着してロール紙を支持する支持部材と、引き出されたロール紙を巻き戻す巻戻手段とを有し、巻戻手段は、巻戻手段を作動させる駆動部と、ロール紙の軸線方向に延びた駆動軸を備えた動力伝達系とを有し、駆動軸は、駆動部の駆動力を支持部材に伝達させるとともに、移動部材の移動方向をロール紙の軸線方向にガイドすることを特徴とする。
【０００８】
請求項２においては、動力伝達系は、駆動部の駆動力を一方向に伝達するクラッチ手段を備えた第一歯車群と、一方の移動部材内に設けられ、支持手段を軸支する回転軸に連結された第二歯車群と有し、第一歯車群に組み込まれた任意の歯車と第二歯車群に組み込まれた任意の歯車は、駆動軸上に配置されていることを特徴とする。
【発明の効果】
【０００９】
請求項１は、少なくとも一方が移動可能な一対の移動部材と、移動部材に設けられ、ロール紙の芯管の開口部に装着してロール紙を支持する支持部材と、引き出されたロール紙を巻き戻す巻戻手段とを有し、巻戻手段は、巻戻手段を作動させる駆動部と、ロール紙の軸線方向に延びた駆動軸を備えた動力伝達系とを有し、駆動軸は、駆動部の駆動力を支持部材に伝達させるとともに、移動部材の移動方向をロール紙の軸線方向にガイドすることにより、可動する移動部材によってロール紙を挟み込んで支持する機構においても、ロール紙を巻き戻すための伝達経路を構成することができる。
【００１０】
請求項２は、動力伝達系は、駆動部の駆動力を一方向に伝達するクラッチ手段を備えた第一歯車群と、一方の移動部材内に設けられ、支持手段を軸支する回転軸に連結された第二歯車群と有し、第一歯車群に組み込まれた任意の歯車と第二歯車群に組み込まれた任意の歯車は、駆動軸上に配置することにより、請求項１の構成を具体化し、駆動部の駆動力を支持部材に伝達させるとともに、移動部材の移動方向を前記ロール紙の軸線方向にガイドすることができる。
【発明を実施するための最良の形態】
【００１１】
本発明の好適な実施の形態を図面に基づいて説明する。図1に、本発明の給紙装置を示す図である。この給紙装置は、矢印方向に図２（ロール紙は支持された状態を示す）に示すような給紙トレイＴを引き出し、ロール紙Ｐを給紙トレイＴに内に置いて、給紙トレイＴ内でロール紙Ｐの給紙作業を行うものである。この実施形態では、給紙トレイＴを引き出し、ロール紙Ｐを給紙トレイＴに内に置いたものを開示しているが、これに限定されるものではない。
【００１２】
図３に、本発明の給紙装置の主要部の斜視図を示す。この給紙装置は、一対の移動部材（１００、１００’）と、支持部材（２００、２００’）と、ガイド部材（３００、３００’）と巻戻手段４００とからなる。移動部材（１００、１００’）は、ロール紙Ｐの幅に対応して動かすものであり、具体的には薄い板を箱状に形成したサイドプレート（１００、１００’）である。以下、移動部材（１００、１００‘）をサイドプレートと呼ぶ。サイドプレート（１００、１００’）は、少なくとも一方が移動できるようになっている。
【００１３】
支持部材（２００、２００’）は、各サイドプレート（１００、１００’）に設けられており、ロール紙Ｐの両側から支持（ロール紙Ｐの芯管の両開口部Oに支持部材（２００、２００’）を装着）するものであり、具体的には、ロール紙Ｐの芯管の開口部Ｏを導入しやすいように形成されたロール紙フォルダーである。以下、支持部材（２００、２００’）をロール紙フォルダーと呼ぶ。
【００１４】
ロール紙フォルダー（２００、２００’）は、回転軸２４０により移動部材（１００、１００’）に軸支されている。さらに、各ロール紙フォルダー（２００、２００’）は、装着部（２１０、２１０’）と導入部（２２０、２２０’）とを備えている。装着部（２１０、２１０’）はロール紙Ｐの芯管の開口部Ｏに装入してロール紙Ｐを装着するものである。装着部（２１０、２１０’）にはロール紙Ｐの芯管の開口部Ｏを保持する保持手段２３０が設けられている。さらに、一方のロール紙フォルダー２００’の回転軸２４０は、後に述べる動力伝達系５００の第二歯車群に組み込まれた任意の歯車に連結されている。
【００１５】
保持手段２３０は、一部が装着部（２１０、２１０’）から突出した薄板状の係止部２３１と、係止部２３１を常に上方（装着部（２１０、２１０’）から突出）に付勢するばね等からなる付勢手段（図示せず）とから構成される。係止部２３１は装着部（２１０、２１０’）の中心に対して等角に三つ以上設けられている。
【００１６】
係止部２３１は、ロール紙フォルダー（２００、２００’）にロール紙Ｐを装着する時に、ロール紙Ｐの芯管の開口部Ｏの径の寸法に多少のばらつきが生じていても、図示しない付勢手段の撓みにより、ロール紙Ｐの芯管の開口部Ｏの径の誤差を吸収して、ロール紙Ｐの支持を確実にすることができる。導入部（２２０、２２０’）は、ロール紙Ｐの芯管の開口部Ｏを装着部（２１０、２１０’）に案内するものであり、各々の対向するサイドプレート（１００、１００’）側に向かって径が小さくなるように形成されている。
【００１７】
ガイド部材（３００、３００’）は、サイドプレート（１００、１００’）に取り付けられた本体部（３１０、３１０’）と、サイドプレート（１００、１００’）の移動を軸線方向に規制するガイド部（３２０、３２０’）とからなる。図３に示すように、本体部（３１０、３１０’）には、薄板状の部材である。さらに、ガイド部（３２０、３２０’）と対向する本体部（３１０、３１０’）の面には、ガイド部（３２０、３２０’）に設けられた溝部３２１に嵌るように形成された凸部３１１が設けられている。
【００１８】
また、他方のサイドプレート１００に取り付けられた本体部３１０は、一方のサイドプレート１００’に取り付けられた本体部３１０よりも長くなるように形成されている。この本体部（３１０、３１０’）は、以下の条件を満たす長さを持つ。支持（給紙トレイＴに装着）するロール紙Ｐの幅が最大である場合、給紙トレイＴ内でロール紙Ｐを載置する最小のスペースが確保できるように、他方のサイドプレート１００の一部が給紙装置外に出るようにすること。次に、この状態でサイドプレート（１００、１００’）をスライドさせるのみでロール紙Ｐを装着できるようにすることである。
【００１９】
さらに、本体部（３１０、３１０’）には、サイドプレート（１００、１００’）間にロール紙Ｐを載置する受台（３３０、３３０’）が設けられている。特に、受台（３３０、３３０’）は、ロール紙Ｐをロール紙フォルダー（２００、２００’）に装着する前およびロール紙Ｐをロール紙フォルダー（２００、２００’）から脱離した後において、ロール紙Ｐが両受台（３３０、３３０’）にバランスよく載置できるように配置されている。さらに、この時、他方のサイドプレート１００側の受台３３０とロール紙フォルダー２００との間は、ロール紙Ｐを受台（３３０、３３０’）間にセットするための作業スペースを持っている。
【００２０】
巻戻手段４００は、画像形成装置側に引き出されたロール紙Ｐを巻き戻すものであり、図４および図５に示すように、巻戻手段４００を作動させる駆動部（図示せず）と、ロール紙Ｐの軸線方向に延びた駆動軸６００を備えた動力伝達系５００とからなる。
【００２１】
駆動軸６００は、図３、図４および図５に示すように、装着するロール紙Ｐの下側に配置され、第一歯車群５１０の第二歯車５１２と規制部材７００とに回転自在に支持されている。特に、駆動軸６００は、図２に示すように、ロール紙を受台（３３０、３３０’）間にセットする時に、ロール紙Ｐにぶつからないように、受台３３０’を貫通して配置されている。この構成により、ロール紙Ｐを載置するスペース内に巻戻手段４００の駆動力を伝達する機構の一部が構成され、ロール紙の装着作業の効率化と、装置の小型化および簡素化とを計ることができる。
【００２２】
規制部材７００は、ロール紙Ｐの幅中心に対して、一方のガイド部材３００の長さの差だけ、他方のガイド部材３００’側にずれるように配置し、各サイドプレート（１００、１００’）の移動を規制する。
【００２３】
さらに、駆動軸６００の断面形状は、ロール紙Ｐの幅に合わせて、一方のサイドプレート１００’を移動させても、駆動力の伝達ができるような形状となっている。この実施形態では、略Ｄ字状に形成（Ｄカット）したものを開示しているが、これに限定されるものではない。
【００２４】
動力伝達系５００は、駆動部（図示せず）の駆動力を駆動軸６００に伝達する第一歯車群５１０と、他方のサイドプレート１００内に設けられた第二歯車群５２０とからなる。第一歯車群５１０の第一歯車５１１は駆動源の駆動力を受けるものでありトレイＴの側板７００に軸支されている。第二歯車５１２は駆動軸６００に回転自在に取り付けられている。さらに、第二歯車５１２は、駆動軸６００上に配置されたクラッチ手段５３０に連結されている。
【００２５】
クラッチ手段５３０は、駆動部（図示せず）からの駆動力をロール紙フォルダー（２００、２００’）に伝達させたり、ロール紙Ｐを画像形成装置側に引き出す時の回転を第一歯車群５１０に伝達させないようにして、駆動力を一方向に伝達するものである。
【００２６】
第二歯車群５２０は、駆動軸６００を介して伝達された駆動力をロール紙フォルダー（２００、２００’）に伝達するものであり、第三歯車５２１と第四歯車５２２とからなる。第三歯車５２１は、一方のロール紙フォルダー側に突出した駆動軸６００を受けるフランジ部（図３に図示せず）を備え、第二歯車５１２と同じように、駆動軸６００上に配置されている。また、第三歯車５２１には、駆動軸６００上を移動できるように、駆動軸６００を通す軸孔５２３が設けられている。軸孔５２３は、先に述べた駆動軸６００の形状に略一致するように形成されている。これにより、ロール紙フォルダー２００’が適宜位置に移動しても、常に、駆動軸６００の駆動力（回転）が伝達される。第四歯車５２２は、先に述べた第三歯車５２１の回転をロール紙フォルダー２００’に伝達するものである。第四歯車５２２は、ロール紙フォルダー２００’とともに回転軸２４０により軸支されている。これにより、駆動部（図示せず）の駆動力をロール紙フォルダー２００’に伝達させるとともに、サイドプレート１００’の移動方向をロール紙Ｐの軸線方向にガイドすることができる。
【００２７】
次に、図３を使用して給紙装置の動作について説明する。先ず、各ロール紙Ｐの幅に対応して、一方または両サイドプレート（１００、１００’）を軸線方向にスライドさせて、任意のロール紙Ｐを受台（３３０、３３０’）間に載置し、このロール紙Ｐをロール紙フォルダー（２００、２００’）にセットする。
【００２８】
この後、ロール紙Ｐを送る（画像形成装置側に搬送する）場合は、ロール紙Ｐを搬送するための駆動手段（図示せず）を作動させて、所定の長さのロール紙Ｐを搬送する。駆動手段（図示せず）の作動により、ロール紙Ｐの搬送によりロール紙フォルダー（２００、２００’）の回転は、第四歯車５２２および第三歯車５２１を介して、駆動軸６００に伝達される（二点鎖線の矢印）。この時、駆動軸６００上に配置されたクラッチ手段５３０により、第二歯車５１２は空転し、ロール紙Ｐを搬送する回転はこの第二歯車５１２に伝達されない。
【００２９】
一方、ロール紙を巻き戻す場合は、一旦、駆動手段（図示せず）を停止させ、巻戻手段４００の駆動部（図示せず）を作動させる。駆動部（図示せず）の駆動力は、第一歯車５１１に伝達され、第一歯車５１１は矢印方向（実線）に回転する。この時、クラッチ手段５３０は第二歯車５１２と駆動軸６００とを繋ぎ、第二歯車５１２の回転を駆動軸６００に伝達する。
【００３０】
駆動軸６００に第二歯車５１２の回転が伝達されると、これに追従して、駆動軸６００上に配置された第三歯車５２１、第四歯車５２２に、順次、伝達される。第四歯車５２２に回転が伝達されると、回転軸２４０を介して、ロール紙フォルダー（２００、２００’）が回転し、ロール紙Ｐが巻き戻される。
【００３１】
以上のように、巻戻手段４００の駆動軸６００を、装着するロール紙Ｐの幅に対応してロール紙フォルダー２００’を軸線方向に移動させるガイドの働きを果たすとともに、さらに、ロール紙Ｐの軸線方向に対してスライドしても、常に軸が介在しているため、駆動源５００の駆動力を他方のサイドプレート１００’に設けられたロール紙フォルダー２００’に伝達することができる。この結果、特別なロール紙を巻き戻す巻戻機構を設ける必要がなく、装置の小型化と装置の構成の簡素化を同時に達成することができる。
【図面の簡単な説明】
【００３２】
【図１】本発明の実施の形態に適用する給紙装置を示す図。
【図２】給紙トレイの側面図。
【図３】本発明の実施の形態の主要部の斜視図。
【図４】図３の矢視Ａからみた巻戻機構。
【図５】図３の矢視Ｂからみた巻戻機構。
【符号の説明】
【００３３】
１００、１００’  移動部材（サイドプレート）
２００、２００’  支持部材（ロール紙フォルダー）
３００、３００’  ガイド部材
４００            巻戻手段
５００            動力伝達系
５１０            第一歯車群
５２０            第二歯車群
５３０            クラッチ手段
６００            駆動軸
Ｐ                ロール紙
【図１】
2005280281.tif 000003
【図２】
2005280281.tif 000004
【図３】
2005280281.tif 000005
【図４】
2005280281.tif 000006
【図５】
2005280281.tif 000007